【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
キャリアアグリゲーション（ＣＡ）構成における少なくともセカンダリコンポーネントキャリア（ＳＣｅｌｌ）上の拡張コンポーネントキャリア（ｅＣＣ）を使用して通信することと、
前記ｅＣＣ上での通信に関係する制御情報のために、プライマリコンポーネントキャリア（ＰＣｅｌｌ）を使用することと
を備え、前記ｅＣＣは、非後方互換性直交周波数多重（ＯＦＤＭ）を有する広帯域キャリアを備える、ワイヤレス通信のための方法。
【請求項２】
前記ｅＣＣを使用して通信することは、
無認可無線周波数スペクトル帯域または共有無線周波数スペクトル帯域上で通信することを備える、
請求項１に記載の方法。
【請求項３】
制御情報のために前記ＰＣｅｌｌを使用することは、
前記ｅＣＣに関するチャネル状態情報（ＣＳＩ）を送ることまたは受信することをさらに備える、
請求項１に記載の方法。
【請求項４】
ＰＣｅｌｌ上で、非周期ＣＳＩフィードバックのためのトリガを備える許可を受信することと、
前記非周期ＣＳＩフィードバックの送信のための前記ＰＣｅｌｌまたはＳＣｅｌｌのキャリアを決定することと
をさらに備え、オプションとして、
前記キャリアを決定することは、許可が受信されたセル、許可によってスケジュールされたセル、またはそれらの組合せのいずれかに少なくとも部分的に基づいて、前記キャリアを決定することを備える、請求項３に記載の方法。
【請求項５】
ＣＳＩを送ることまたは受信することは、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上で前記ＣＳＩを送ることまたは受信することをさらに備える、
請求項３に記載の方法。
【請求項６】
制御情報のために前記ＰＣｅｌｌを使用することは、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送ることまたは受信することをさらに備える、
請求項１に記載の方法。
【請求項７】
前記ＳＣｅｌｌのｅＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ｅＣＣ上で受信された前記複数のコードブロックの送信が完了された前記ＰＣｅｌｌのサブフレームに少なくとも部分的に基づいて、前記ＡＣＫ／ＮＡＣＫフィードバック情報を提供するための前記ＰＣｅｌｌのフィードバックサブフレームを識別すること、ここにおいて、前記ダウンリンクＡＣＫ／ＮＡＣＫおよび前記アップリンクＡＣＫ／ＮＡＣＫのうちの１つを送ることまたは受信することは、前記識別されたフィードバックサブフレーム中で前記ＰＣｅｌｌを介して前記ＡＣＫ／ＮＡＣＫフィードバック情報を送信することをさらに備える、と
をさらに備える、請求項６に記載の方法。
【請求項８】
前記ＰＣｅｌｌは、ダウンリンクプライマリコンポーネントキャリアと、周波数分割複信（ＦＤＤ）アップリンクプライマリコンポーネントキャリアとを備え、前記フィードバックサブフレームは、前記ｅＣＣ上で受信された前記複数のコードブロックの前記送信が完了した前記ＰＣｅｌｌの前記サブフレームからの所定のオフセットを有する、または
前記ＰＣｅｌｌは、時分割複信（ＴＤＤ）コンポーネントキャリアを備え、前記フィードバックサブフレームは、前記ｅＣＣ上で受信された前記複数のコードブロックの前記送信が完了した前記ＰＣｅｌｌの前記サブフレームからの所定のオフセットの後の、前記ＴＤＤコンポーネントキャリアの第１のアップリンクサブフレームを備える、
請求項７に記載の方法。
【請求項９】
制御情報を送るまたは受信するために前記ＰＣｅｌｌを使用することは、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上でｅＣＣダウンリンクデータに応答して前記アップリンクＡＣＫ／ＮＡＣＫを送ること、あるいは前記ＰＣｅｌｌの物理ハイブリッド自動再送要求（ＡＲＱ）インジケータチャネル（ＰＨＩＣＨ）、前記ＰＣｅｌｌの拡張ＰＨＩＣＨ（ｅＰＨＩＣＨ）、前記ＰＣｅｌｌの物理ダウンリンク共有チャネル（ＰＤＳＣＨ）、およびそれらの組合せのうちの少なくとも１つ上でｅＣＣアップリンクデータに応答して前記ダウンリンクＡＣＫ／ＮＡＣＫを送ることをさらに備える、
請求項６に記載の方法。
【請求項１０】
前記ダウンリンクＡＣＫ／ＮＡＣＫ、および前記アップリンクＡＣＫ／ＮＡＣＫのうちの１つを通信することは、
複数のｅＣＣダウンリンクデータまたは複数のｅＣＣアップリンクデータに対応する複数のＡＣＫ／ＮＡＣＫを含んでいるブロックＡＣＫ／ＮＡＣＫを通信することをさらに備える、
請求項６に記載の方法。
【請求項１１】
前記ブロックＡＣＫ／ＮＡＣＫを通信することは、
前記複数のＡＣＫ／ＮＡＣＫが、前記ｅＣＣを介して受信された前記データを送信する複数のユーザに対応することを示すことをさらに備える、
請求項１０に記載の方法。
【請求項１２】
前記複数のスケジュールされたトランスポートブロックに関連するダウンリンク許可内のダウンリンク送信インデックス情報を受信することをさらに備える、
請求項１０に記載の方法。
【請求項１３】
前記ＡＣＫ／ＮＡＣＫフィードバック情報のＡＣＫ／ＮＡＣＫビットの数が、前記ＡＣＫ／ＮＡＣＫフィードバック情報を送信するために使用されるＰＵＣＣＨフォーマットの容量を超えると決定することと、
前記ＡＣＫ／ＮＡＣＫフィードバック情報の送信のための複数のＰＵＣＣＨリソースを決定すること、ここにおいて、前記ＡＣＫ／ＮＡＣＫフィードバック情報を送ることまたは受信することは、前記複数のＰＵＣＣＨリソースを使用して複数のＰＵＣＣＨ送信を送信することをさらに備える、と
をさらに備える、請求項６に記載の方法。
【請求項１４】
（Ａ）ＰＣｅｌｌ上で、前記ｅＣＣ上での物理ダウンリンク共有チャネル（ＰＤＳＣＨ）送信のための時間および周波数リソースの一方または両方を識別するダウンリンク許可を送ることと、
前記識別された時間または周波数リソースを使用して前記ダウンリンク許可中で識別された媒体へのアクセスを獲得することに失敗したことに応答して、ダウンリンクデータを送ることを控えることと
をさらに備える、または
（Ｂ）ＰＣｅｌｌ上で、前記ｅＣＣ上での物理ダウンリンク共有チャネル（ＰＤＳＣＨ）送信のための複数の時間および周波数リソースを識別するダウンリンク許可を送ることと、
前記複数の時間または周波数リソースのうちの１つを使用して前記ダウンリンク許可中で識別された媒体へのアクセスを獲得することに失敗したことに応答して、ダウンリンクデータを送ることを控えることと
をさらに備える、または
（Ｃ）ＰＣｅｌｌ上で、前記ｅＣＣ上での物理ダウンリンク共有チャネル（ＰＤＳＣＨ）送信のための満了時間を識別するダウンリンク許可を送ることと、
前記満了時間までに前記ダウンリンク許可中で識別された媒体へのアクセスを獲得することに失敗したことに応答して、ダウンリンクデータを送ることを控えることと
をさらに備える、請求項１に記載の方法。
【請求項１５】
ＰＣｅｌｌ上で、前記ｅＣＣ上での物理アップリンク共有チャネル（ＰＵＳＣＨ）送信のための時間および周波数リソースの一方または両方を識別するアップリンク許可を受信することと、
前記識別された時間または周波数リソースを使用して前記アップリンク許可中で識別された媒体へのアクセスを獲得することに失敗したことに応答して、アップリンクデータを送ることを控えることと
をさらに備える、または
ＰＣｅｌｌ上で、前記ｅＣＣ上での物理アップリンク共有チャネル（ＰＵＳＣＨ）送信のための満了時間を識別するアップリンク許可を受信することと、
前記満了時間までに前記アップリンク許可中で識別された媒体へのアクセスを獲得することに失敗したことに応答して、アップリンクデータを送ることを控えることと
をさらに備える、請求項１に記載の方法。
【請求項１６】
請求項１乃至１５のいずれか１項に記載の方法を実行するための手段を備える、ワイヤレス通信のための装置。
【請求項１７】
請求項１ないし１５のいずれか１項に記載の方法を実行することを行うためにプロセッサによって実行可能である、非一時的コンピュータ可読媒体。
【手続補正２】
【補正対象書類名】明細書
【補正対象項目名】０２６２
【補正方法】変更
【補正の内容】
【０２６２】
[0288]本開示についての以上の説明は、当業者が本開示を作成または使用することができるように提供されたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
キャリアアグリゲーション（ＣＡ）構成における少なくともセカンダリコンポーネントキャリア（ＳＣｅｌｌ）上の拡張コンポーネントキャリア（ｅＣＣ）を使用して通信することと、
前記ｅＣＣ上での通信に関係する制御情報のために、プライマリコンポーネントキャリア（ＰＣｅｌｌ）を使用することと
を備える、ワイヤレス通信のための方法。
［Ｃ２］
前記ｅＣＣを使用して通信することは、
無認可無線周波数スペクトル帯域または共有無線周波数スペクトル帯域上で通信することを備える、
［Ｃ１］に記載の方法。
［Ｃ３］
制御情報のために前記ＰＣｅｌｌを使用することは、
前記ｅＣＣに関するチャネル状態情報（ＣＳＩ）を送ることまたは受信することをさらに備える、
［Ｃ１］に記載の方法。
［Ｃ４］
非周期ＣＳＩフィードバックのためのトリガを備える許可を受信することと、
前記非周期ＣＳＩフィードバックの送信のための前記ＰＣｅｌｌまたはＳＣｅｌｌのキャリアを決定することと
をさらに備える、［Ｃ３］に記載の方法。
［Ｃ５］
ＣＳＩを送ることまたは受信することは、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上で前記ＣＳＩを送ることまたは受信することをさらに備える、
［Ｃ３］に記載の方法。
［Ｃ６］
前記キャリアを決定することは、
前記許可が受信されたセル、前記許可によってスケジュールされたセル、またはそれらの組合せのいずれかに少なくとも部分的に基づいて、前記キャリアを決定することを備える、
［Ｃ３］に記載の方法。
［Ｃ７］
制御情報のために前記ＰＣｅｌｌを使用することは、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送ることまたは受信することをさらに備える、
［Ｃ１］に記載の方法。
［Ｃ８］
前記ＳＣｅｌｌのｅＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ｅＣＣ上で受信された前記複数コードブロックの送信が完了された前記ＰＣｅｌｌのサブフレームに少なくとも部分的に基づいて、前記ＡＣＫ／ＮＡＣＫフィードバック情報を提供するための前記ＰＣｅｌｌのフィードバックサブフレームを識別すること、ここにおいて、前記ダウンリンクＡＣＫ／ＮＡＣＫおよび前記アップリンクＡＣＫ／ＮＡＣＫのうちの１つを送ることまたは受信することは、前記識別されたフィードバックサブフレーム中で前記ＰＣｅｌｌを介して前記ＡＣＫ／ＮＡＣＫフィードバック情報を送信することをさらに備える、と
をさらに備える、［Ｃ７］に記載の方法。
［Ｃ９］
前記ＰＣｅｌｌは、ダウンリンクプライマリコンポーネントキャリアと、周波数分割複信（ＦＤＤ）アップリンクプライマリコンポーネントキャリアとを備え、前記フィードバックサブフレームは、前記ｅＣＣ上で受信された前記複数のコードブロックの前記送信が完了した前記ＰＣｅｌｌの前記サブフレームからの所定のオフセットを有する、
［Ｃ８］に記載の方法。
［Ｃ１０］
前記ＰＣｅｌｌは、時分割複信（ＴＤＤ）コンポーネントキャリアを備え、前記フィードバックサブフレームは、前記ｅＣＣ上で受信された前記複数のコードブロックの前記送信が完了した前記ＰＣｅｌｌの前記サブフレームからの所定のオフセットの後の、前記ＴＤＤコンポーネントキャリアの第１のアップリンクサブフレームを備える、
［Ｃ８］に記載の方法。
［Ｃ１１］
制御情報を送るまたは受信するために前記ＰＣｅｌｌを使用することは、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上でｅＣＣダウンリンクデータに応答して前記アップリンクＡＣＫ／ＮＡＣＫを送ること、あるいは前記ＰＣｅｌｌの物理ハイブリッド自動再送要求（ＡＲＱ）インジケータチャネル（ＰＨＩＣＨ）、前記ＰＣｅｌｌの拡張ＰＨＩＣＨ（ｅＰＨＩＣＨ）、前記ＰＣｅｌｌの物理ダウンリンク共有チャネル（ＰＤＳＣＨ）、およびそれらの組合せのうちの少なくとも１つ上でｅＣＣアップリンクデータに応答して前記ダウンリンクＡＣＫ／ＮＡＣＫを送ることをさらに備える、
［Ｃ７］に記載の方法。
［Ｃ１２］
前記ダウンリンクＡＣＫ／ＮＡＣＫ、および前記アップリンクＡＣＫ／ＮＡＣＫのうちの１つを通信することは、
複数のｅＣＣダウンリンクデータまたは複数のｅＣＣアップリンクデータに対応する複数のＡＣＫ／ＮＡＣＫを含んでいるブロックＡＣＫ／ＮＡＣＫを通信することをさらに備える、
［Ｃ７］に記載の方法。
［Ｃ１３］
前記ブロックＡＣＫ／ＮＡＣＫを通信することは、
前記複数のＡＣＫ／ＮＡＣＫが、前記ｅＣＣを介して受信された前記データを送信する複数のユーザに対応することを示すことをさらに備える、
［Ｃ１２］に記載の方法。
［Ｃ１４］
前記複数のスケジュールされたトランスポートブロックに関連するダウンリンク許可内のダウンリンク送信インデックス情報を受信することをさらに備える、
［Ｃ１２］に記載の方法。
［Ｃ１５］
前記ＡＣＫ／ＮＡＣＫフィードバック情報のＡＣＫ／ＮＡＣＫビットの数が、前記ＡＣＫ／ＮＡＣＫフィードバック情報を送信するために使用されるＰＵＣＣＨフォーマットの容量を超えると決定することと、
前記ＡＣＫ／ＮＡＣＫフィードバック情報の送信のための複数のＰＵＣＣＨリソースを決定すること、ここにおいて、前記ＡＣＫ／ＮＡＣＫフィードバック情報を送ることまたは受信することは、前記複数のＰＵＣＣＨリソースを使用して複数のＰＵＣＣＨ送信を送信することをさらに備える、と
をさらに備える、［Ｃ７］に記載の方法。
［Ｃ１６］
前記ｅＣＣ上での物理ダウンリンク共有チャネル（ＰＤＳＣＨ）送信のための時間および周波数リソースの一方または両方を識別するダウンリンク許可を送ることと、
前記識別された時間または周波数リソースを使用して前記ダウンリンク許可中で識別された媒体へのアクセスを獲得することに失敗したことに応答して、ダウンリンクデータを送ることを控えることと
をさらに備える、［Ｃ１］に記載の方法。
［Ｃ１７］
前記ｅＣＣ上での物理ダウンリンク共有チャネル（ＰＤＳＣＨ）送信のための複数の時間および周波数リソースを識別するダウンリンク許可を送ることと、
前記複数の時間または周波数リソースのうちの１つを使用して前記ダウンリンク許可中で識別された媒体へのアクセスを獲得することに失敗したことに応答して、ダウンリンクデータを送ることを控えることと
をさらに備える、［Ｃ１］に記載の方法。
［Ｃ１８］
前記ｅＣＣ上での物理ダウンリンク共有チャネル（ＰＤＳＣＨ）送信のための満了時間を識別するダウンリンク許可を送ることと、
前記満了時間までに前記ダウンリンク許可中で識別された媒体へのアクセスを獲得することに失敗したことに応答して、ダウンリンクデータを送ることを控えることと
をさらに備える、［Ｃ１］に記載の方法。
［Ｃ１９］
前記ｅＣＣ上での物理アップリンク共有チャネル（ＰＵＳＣＨ）送信のための時間および周波数リソースの一方または両方を識別するアップリンク許可を受信することと、
前記識別された時間または周波数リソースを使用して前記アップリンク許可中で識別された媒体へのアクセスを獲得することに失敗したことに応答して、アップリンクデータを送ることを控えることと
をさらに備える、［Ｃ１］に記載の方法。
［Ｃ２０］
前記ｅＣＣ上での物理アップリンク共有チャネル（ＰＵＳＣＨ）送信のための満了時間を識別するアップリンク許可を受信することと、
前記満了時間までに前記アップリンク許可中で識別された媒体へのアクセスを獲得することに失敗したことに応答して、アップリンクデータを送ることを控えることと
をさらに備える、［Ｃ１］に記載の方法。
［Ｃ２１］
キャリアアグリゲーション（ＣＡ）構成における少なくともセカンダリコンポーネントキャリア（ＳＣｅｌｌ）上の拡張コンポーネントキャリア（ｅＣＣ）を使用して通信するための手段と、
前記ｅＣＣ上での通信に関係する制御情報のために、プライマリコンポーネントキャリア（ＰＣｅｌｌ）を使用するための手段と
を備える、ワイヤレス通信のための装置。
［Ｃ２２］
前記ｅＣＣを使用して前記通信するための手段は、
無認可無線周波数スペクトル帯域または共有無線周波数スペクトル帯域上で通信するための手段を備える、
［Ｃ２１］に記載の装置。
［Ｃ２３］
制御情報のために前記ＰＣｅｌｌを前記使用するための手段は、
前記ｅＣＣに関するチャネル状態情報（ＣＳＩ）を送るまたは受信するための手段をさらに備える、
［Ｃ２１］に記載の装置。
［Ｃ２４］
非周期ＣＳＩフィードバックのためのトリガを備える許可を受信するための手段と、
前記非周期ＣＳＩフィードバックの送信のための前記ＰＣｅｌｌまたはＳＣｅｌｌのキャリアを決定するための手段と
をさらに備える、［Ｃ２３］に記載の装置。
［Ｃ２５］
ＣＳＩを前記送るまたは受信するための手段は、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上で前記ＣＳＩを送るまたは受信するための手段をさらに備える、
［Ｃ２３］に記載の装置。
［Ｃ２６］
前記キャリアを前記決定するための手段は、
前記許可が受信されたセル、前記許可によってスケジュールされたセル、またはそれらの組合せのいずれかに少なくとも部分的に基づいて、前記キャリアを決定するための手段を備える、
［Ｃ２３］に記載の装置。
［Ｃ２７］
制御情報のために前記ＰＣｅｌｌを前記使用するための手段は、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送るまたは受信するための手段をさらに備える、
［Ｃ２１］に記載の装置。
［Ｃ２８］
前記ＳＣｅｌｌのｅＣＣ上で受信された複数のコードブロックのためのＡＣＫ／ＮＡＣＫフィードバック情報を識別するための手段、前記複数のコードブロックは、複数のスケジュールされたトランスポートブロック中で受信される、と、
前記ｅＣＣ上で受信された前記複数コードブロックの送信が完了された前記ＰＣｅｌｌのサブフレームに少なくとも部分的に基づいて、前記ＡＣＫ／ＮＡＣＫフィードバック情報を提供するための前記ＰＣｅｌｌのフィードバックサブフレームを識別するための手段、ここにおいて、前記ダウンリンクＡＣＫ／ＮＡＣＫおよび前記アップリンクＡＣＫ／ＮＡＣＫのうちの１つを送ることまたは受信することは、前記識別されたフィードバックサブフレーム中で前記ＰＣｅｌｌを介して前記ＡＣＫ／ＮＡＣＫフィードバック情報を送信することをさらに備える、と
をさらに備える、［Ｃ２７］に記載の装置。
［Ｃ２９］
前記ＰＣｅｌｌは、ダウンリンクプライマリコンポーネントキャリアと、周波数分割複信（ＦＤＤ）アップリンクプライマリコンポーネントキャリアとを備え、前記フィードバックサブフレームは、前記ｅＣＣ上で受信された前記複数のコードブロックの前記送信が完了した前記ＰＣｅｌｌの前記サブフレームからの所定のオフセットを有する、
［Ｃ２８］に記載の装置。
［Ｃ３０］
前記ＰＣｅｌｌは、時分割複信（ＴＤＤ）コンポーネントキャリアを備え、前記フィードバックサブフレームは、前記ｅＣＣ上で受信された前記複数のコードブロックの前記送信が完了した前記ＰＣｅｌｌの前記サブフレームからの所定のオフセットの後の、前記ＴＤＤコンポーネントキャリアの第１のアップリンクサブフレームを備える、
［Ｃ２８］に記載の装置。
［Ｃ３１］
制御情報を送るまたは受信するために前記ＰＣｅｌｌを前記使用するための手段は、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上でｅＣＣダウンリンクデータに応答して前記アップリンクＡＣＫ／ＮＡＣＫを送ること、あるいは前記ＰＣｅｌｌの物理ハイブリッド自動再送要求（ＡＲＱ）インジケータチャネル（ＰＨＩＣＨ）、前記ＰＣｅｌｌの拡張ＰＨＩＣＨ（ｅＰＨＩＣＨ）、前記ＰＣｅｌｌの物理ダウンリンク共有チャネル（ＰＤＳＣＨ）、およびそれらの組合せのうちの少なくとも１つ上でｅＣＣアップリンクデータに応答して前記ダウンリンクＡＣＫ／ＮＡＣＫを送ることを行うための手段をさらに備える、
［Ｃ２７］に記載の装置。
［Ｃ３２］
前記ダウンリンクＡＣＫ／ＮＡＣＫ、および前記アップリンクＡＣＫ／ＮＡＣＫのうちの１つを前記通信するための手段は、
複数のｅＣＣダウンリンクデータまたは複数のｅＣＣアップリンクデータに対応する複数のＡＣＫ／ＮＡＣＫを含んでいるブロックＡＣＫ／ＮＡＣＫを通信するための手段をさらに備える、
［Ｃ２７］に記載の装置。
［Ｃ３３］
前記ブロックＡＣＫ／ＮＡＣＫを前記通信するための手段は、
前記複数のＡＣＫ／ＮＡＣＫが、前記ｅＣＣを介して受信された前記データを送信する複数のユーザに対応することを示すための手段をさらに備える、
［Ｃ３２］に記載の装置。
［Ｃ３４］
前記複数のスケジュールされたトランスポートブロックに関連するダウンリンク許可内のダウンリンク送信インデックス情報を受信するための手段をさらに備える、
［Ｃ３２］に記載の装置。
［Ｃ３５］
前記ＡＣＫ／ＮＡＣＫフィードバック情報のＡＣＫ／ＮＡＣＫビットの数が、前記ＡＣＫ／ＮＡＣＫフィードバック情報を送信するために使用されるＰＵＣＣＨフォーマットの容量を超えると決定するための手段と、
前記ＡＣＫ／ＮＡＣＫフィードバック情報の送信のための複数のＰＵＣＣＨリソースを決定するための手段、前記ＡＣＫ／ＮＡＣＫフィードバック情報を送ることまたは受信することは、前記複数のＰＵＣＣＨリソースを使用して複数のＰＵＣＣＨ送信を送信することをさらに備える、と
をさらに備える、［Ｃ２７］に記載の装置。
［Ｃ３６］
前記ｅＣＣ上での物理ダウンリンク共有チャネル（ＰＤＳＣＨ）送信のための時間および周波数リソースの一方または両方を識別するダウンリンク許可を送るための手段と、
前記識別された時間または周波数リソースを使用して前記ダウンリンク許可中で識別された媒体へのアクセスを獲得することに失敗したことに応答して、ダウンリンクデータを送ることを控えるための手段と
をさらに備える、［Ｃ２１］に記載の装置。
［Ｃ３７］
前記ｅＣＣ上での物理ダウンリンク共有チャネル（ＰＤＳＣＨ）送信のための複数の時間および周波数リソースを識別するダウンリンク許可を送るための手段と、
前記複数の時間または周波数リソースのうちの１つを使用して前記ダウンリンク許可中で識別された媒体へのアクセスを獲得することに失敗したことに応答して、ダウンリンクデータを送ることを控えるための手段と
をさらに備える、［Ｃ２１］に記載の装置。
［Ｃ３８］
前記ｅＣＣ上での物理ダウンリンク共有チャネル（ＰＤＳＣＨ）送信のための満了時間を識別するダウンリンク許可を送るための手段と、
前記満了時間までに前記ダウンリンク許可中で識別された媒体へのアクセスを獲得することに失敗したことに応答して、ダウンリンクデータを送ることを控えるための手段と
をさらに備える、［Ｃ２１］に記載の装置。
［Ｃ３９］
前記ｅＣＣ上での物理アップリンク共有チャネル（ＰＵＳＣＨ）送信のための時間および周波数リソースの一方または両方を識別するアップリンク許可を受信するための手段と、
前記識別された時間または周波数リソースを使用して前記アップリンク許可中で識別された媒体へのアクセスを獲得することに失敗したことに応答して、アップリンクデータを送ることを控えるための手段と
をさらに備える、［Ｃ２１］に記載の装置。
［Ｃ４０］
前記ｅＣＣ上での物理アップリンク共有チャネル（ＰＵＳＣＨ）送信のための満了時間を識別するアップリンク許可を受信するための手段と、
前記満了時間までに前記アップリンク許可中で識別された媒体へのアクセスを獲得することに失敗したことに応答して、アップリンクデータを送ることを控えるための手段と
をさらに備える、［Ｃ２１］に記載の装置。
［Ｃ４１］
プロセッサと、
前記プロセッサと電子通信しているメモリと、
前記メモリに記憶された命令と
を備え、前記命令は、
キャリアアグリゲーション（ＣＡ）構成における少なくともセカンダリコンポーネントキャリア（ＳＣｅｌｌ）上の拡張コンポーネントキャリア（ｅＣＣ）を使用して通信することと、
前記ｅＣＣ上での通信に関係する制御情報のために、プライマリコンポーネントキャリア（ＰＣｅｌｌ）を使用することと
を行うために前記プロセッサによって実行可能である、
ワイヤレス通信のための装置。
［Ｃ４２］
前記命令は、
前記ｅＣＣに関するチャネル状態情報（ＣＳＩ）を送ることまたは受信することを行うために前記プロセッサによって実行可能である、
［Ｃ４１］に記載の装置。
［Ｃ４３］
前記命令は、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送ることまたは受信することを行うために前記プロセッサによって実行可能である、
［Ｃ４１］に記載の装置。
［Ｃ４４］
前記命令は、
前記ＳＣｅｌｌのｅＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ｅＣＣ上で受信された前記複数コードブロックの送信が完了された前記ＰＣｅｌｌのサブフレームに少なくとも部分的に基づいて、前記ＡＣＫ／ＮＡＣＫフィードバック情報を提供するための前記ＰＣｅｌｌのフィードバックサブフレームを識別すること、ここにおいて、前記ダウンリンクＡＣＫ／ＮＡＣＫおよび前記アップリンクＡＣＫ／ＮＡＣＫのうちの１つを送るまたは受信するは、前記識別されたフィードバックサブフレーム中で前記ＰＣｅｌｌを介して前記ＡＣＫ／ＮＡＣＫフィードバック情報を送信することをさらに備える、と
を行うために前記プロセッサによって実行可能である、［Ｃ４３］に記載の装置。
［Ｃ４５］
ワイヤレス通信のためのコンピュータ実行可能コードを記憶する非一時的コンピュータ可読媒体であって、前記コードは、
キャリアアグリゲーション（ＣＡ）構成における少なくともセカンダリコンポーネントキャリア（ＳＣｅｌｌ）上の拡張コンポーネントキャリア（ｅＣＣ）を使用して通信することと、
前記ｅＣＣ上での通信に関係する制御情報のために、プライマリコンポーネントキャリア（ＰＣｅｌｌ）を使用することと
を行うためにプロセッサによって実行可能である、非一時的コンピュータ可読媒体。
［Ｃ４６］
制御情報のために前記ＰＣｅｌｌを使用するは、
前記ｅＣＣに関するチャネル状態情報（ＣＳＩ）を送ることまたは受信することを行うために前記プロセッサによって実行可能な前記コードをさらに備える、
［Ｃ４５］に記載の非一時的コンピュータ可読媒体。
［Ｃ４７］
制御情報のために前記ＰＣｅｌｌを使用するは、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送ることまたは受信することを行うために前記プロセッサによって実行可能な前記コードをさらに備える、
［Ｃ４５］に記載の非一時的コンピュータ可読媒体。